(57)【要約】【課題】出力電圧にスイッチング用のコイルの被覆のショート等による入出力のショートによる入力の高い電圧が加わった時に、高電圧を検出できなかった。【解決手段】コイル１０３のショートにより高い電圧が発生した場合に、高出力電圧検出回路１３０でデッドタイムコントロール回路１１１にＨ信号を伝え、強制的に比較回路１１２の出力をＨとしＰＷＭコントロールを停止し、スイッチングトランジスタの動作を停止させるようにしたことにより、確実かつ正確に電源回路を保護できる安定化電源装置が得られるのである【選択図】　図１
2004120934.tif 000002
【特許請求の範囲】
【請求項１】
入力端子に入力される入力電圧を安定化させて出力端子から出力する安定化電源装置であって、入力電圧をスイッチングして出力するスイッチ手段と、前記スイッチ手段の出力電圧を平滑する平滑手段と、前記平滑手段で平滑された前記スイッチ手段の出力電圧を基準電圧と比較し差動増幅する増幅手段と、前記増幅手段からの出力に基づきパルス幅制御の動作点を決めるため前記増幅手段の出力の直流電位を決定するデッドタイムコントロール手段と、前記デッドタイムコントロール手段からの直流電位と三角波との比較結果により前記スイッチ手段のスイッチング動作を制御する比較手段と、前記スイッチ手段から所定電圧よりも高い電圧が入力されるとオンとなり前記デッドタイムコントロール手段に前記高い電圧を出力する高出力電圧検出手段を備え、
前記高出力電圧検出手段に所定電圧よりも高い電圧が入力された時、前記比較手段は前記スイッチ手段の動作を停止させることを特徴とする安定化電源装置。
【請求項２】
高出力電圧検出手段は、ダイオードで構成されたことを特徴とする請求項１記載の安定化電源装置。
【発明の詳細な説明】
【０００１】
【発明の属する技術分野】
本発明は、カメラ一体型ＶＴＲ等や携帯電話、携帯情報端末機器のような電子機器の小型・軽量化、低消費電力化に際し、スイッチング電源を備えた安定化電源装置の保護回路に関するものである。
【０００２】
【従来の技術】
近年、カメラ一体型ＶＴＲ等や携帯電話、携帯情報端末機器のような電子機器の小型・軽量化を目的とした開発が急速に進められており、電子機器の各機能部分に電源を供給する電源装置についても同様である。また、小型化の中での異物や、結露によるショートやアウトドア商品使用環境の中で結露、埃等によりショートが発生しやすくなっている。このような異常モードに対し商品保護の観点で電源保護回路の開発はさまざまな方法でなされている。
【０００３】
以下、図面を参照しながら、上述した従来の安定化電源装置の一例について説明する。
【０００４】
図４は従来の安定化電源装置の構成回路図を示すものである。図４において、１００ａは入力端子、１００ｂは出力端子、１はヒューズ、２はスイッチング用のトランジスタ、３はコイル、４はダイオード、５は平滑用のフィルター回路を構成するコンデンサで、６ａは入力フィルター回路を構成するコイル、６ｂはフィルター回路を構成するコンデンサ、７ａは出力フィルター回路を構成するコイル、７ｂはフィルター回路を構成するコンデンサ、８は電源制御回路である。９は出力電圧検出回路、１０は増幅回路、１１はデッドタイムコントロール回路、１２は比較回路、１３は保護回路で、これらの構成で電源保護回路８を構成している。
【０００５】
図５は電源制御回路の詳細構成図を示すものである。図５において、１４ａは出力電圧検出回路９を構成する抵抗、１４ｂは出力電圧検出回路９を構成する抵抗、１５は増幅回路１０を構成する基準電圧発生回路、１６は増幅回路１０を構成する増幅器、１７ａはデッドタイムコントロール回路１１を構成する抵抗、１７ｂはデッドタイムコントロール回路１１を構成するコンデンサ、１７ｃはデッドタイムコントロール回路１１を構成する抵抗、１８は比較回路１２を構成する三角波発生回路、１９ａは比較回路１２を構成する比較器、１９ｂは比較回路１２を構成するプルアップ抵抗、２０ａは保護回路１３を構成する比較器、２０ｂは保護回路１３を構成するプルアップ抵抗、２１は保護回路１３を構成する基準電圧発生回路である。
【０００６】
図６はデッドタイムコントロール回路の動作波形と動作説明図である。同図（ａ）は電源スイッチの動作、同図（ｂ）はデッドタイムコントロール回路１１で発生する信号と三角波との関係、同図（ｃ）は比較回路１２の出力信号である。
【０００７】
以上のように構成された従来の安定化電源装置について、以下その動作について説明する。
【０００８】
入力端子１００ａより電池（図示せず）等の非安定化電圧が入力され、電源投入されると（図６（ａ）がＨになるタイミング）、増幅回路１０、デッドタイムコントロール回路１１、比較回路１２、基準電圧発生回路１５、三角波発生回路１８が起動する。電源投入直後、出力は０Ｖである。出力電圧検出回路９により出力電圧の状態を０Ｖと検出し、増幅回路１０により基準電圧発生回路１４の基準電圧との誤差増幅をする。このとき、増幅回路１０の出力はローレベル（以下、Ｌと略す）である。
【０００９】
しかし、電源投入で電源印加された基準電圧発生回路１５が電圧を発生し、デッドタイムコントロール回路１１で発生される信号が図６（ｂ）の波形Ｄのような動作をする。この時、三角波発生回路１８の出力信号Ｔと波形Ｄとで比較された出力、すなわち、図６（ｃ）に図示した波形が比較器１９ａより出力される。
【００１０】
よって、電源投入後、図６（ｃ）の波形Ｐ１のデューティで設定されるドライブパルス信号によりトランジスタ２にオンパルスが印加され、コイル３の２次側から出力パルスを得ることになる。トランジスタ２は、図６（ｃ）のドライブパルスのＬ期間にオンになり、Ｈ期間にオフになるよう動作する。ダイオード４はトランジスタ２がオフの時、コイル３に蓄えられたエネルギーを放出される時の電流ループを形成するように作用し、コンデンサ５は出力パルスを平滑するよう作用する。また、出力パルスはコイル７ａ、コンデンサ７ｂで構成される出力フィルターでさらに出力電圧を平滑され、出力端子１００ｂに出力電圧として伝えられる。
【００１１】
次に発生した出力電圧は、出力電圧検出回路９に再び送られ、出力電圧検出回路９はハイレベル（以下、Ｈと略す）を検出し、増幅回路１０で誤差増幅、比較回路１２で比較の処理を行い、図６（ｃ）に示すようにＰＷＭ制御をし、一定の出力電圧を得ることになる。
【００１２】
また、出力電圧検出回路９で検出された電圧は、保護回路１３にも送られている。保護回路１３では、コンデンサ７ｂが結露や埃などによりショートした時に低下する出力電圧を検出し、スイッチングトランジスタ２を停止させるものである。つまり、コンデンサ７ｂのショート時に出力電圧検出回路９で検出した電圧値と、基準電圧発生回路２１で発生する基準電圧とを比較器２０ａで比較し、出力電圧検出回路９からの電圧値が基準電圧よりも低くなると、スイッチングトランジスタ２をオフさせるよう制御するものである。
【００１３】
ここで、従来では出力端子１００ｂの出力電圧の異常時（出力の完全ショートやパーシャルショート）には、保護回路１３が出力端子１００ｂの出力電圧のＬレベル信号を出力電圧検出回路９で検出しトランジスタ２をオフさせて保護したり、入力のヒューズ１を切り保護するなど工夫されてきた。
【００１４】
また、保護する感度について基準電圧発生回路２１の電圧値を変えたり、ヒューズ１の特性や電流遮断値を変えたり、さまざまな方法が考えられてきた。
【００１５】
【特許文献１】
特開平９−２８５１１１号公報
【００１６】
【発明が解決しようとする課題】
しかしながら上記の従来の構成では、コイル３において被覆が剥がれるなどの部品不良によりショートが発生した時に、入力端子１００ａと出力端子１００ｂとがショートしてしまうこととなる。入出力端子がショートしてしまうと、増幅回路１０にはダイナミックレンジを超えた高電圧が入力されてしまい、増幅回路１０からは連続したＬレベル信号がデッドタイムコントロール回路１１に出力される。デッドタイムコントロール回路１１では増幅回路１０からのＬレベル信号に基づき、図６（ｄ）のＤ信号に示すようなＬレベルの信号を比較回路１２に出力する。比較回路１２では、図６（ｄ）に示すように、三角波Ｔ信号とＤ信号とを比較し、図６（ｅ）に示すような連続したＬレベルの信号を出力する。比較回路１２から出力されたＬレベル信号がスイッチングトランジスタ２へ入力され、スイッチングトランジスタ２は常時オン状態となってしまい、スイッチングトランジスタ２とコイル３と電源制御回路８とで構成されるループにおいて、スイッチングトランジスタ２は増幅動作を開始する。スイッチングトランジスタ２が増幅動作を開始すると、上記ループにおける電圧値は上昇し、それに伴い電流値も上昇し、スイッチングトランジスタ２が異常発熱し故障してしまう可能性があるという問題を有していた。ここで、電流値の異常な上昇を防止するためにヒューズ１が設けられているが、ヒューズ１は上記ループ外に配置されているため、ヒューズ１に入力される電流には何等変化はなく、当然ながらヒューズ１も切断されず、回路は保護されない。
【００１７】
本発明は上記従来の問題点を解決するもので、出力電圧にスイッチング用のコイルの被覆のショート等による入出力のショートによる入力の高い電圧が加わった時でも、正確かつ確実に電源回路を保護する定化電源装置を提供することを目的とする。
【００１８】
【課題を解決するための手段】
この目的を達成するために本発明の安定化電源装置は、入力端子に入力される入力電圧を安定化させて出力端子から出力する安定化電源装置であって、入力電圧をスイッチングして出力するスイッチ手段と、前記スイッチ手段の出力電圧を平滑する平滑手段と、前記平滑手段で平滑された前記スイッチ手段の出力電圧を基準電圧と比較し差動増幅する増幅手段と、前記増幅手段からの出力に基づきパルス幅制御の動作点を決めるため前記増幅手段の出力の直流電位を決定するデッドタイムコントロール手段と、前記デッドタイムコントロール手段からの直流電位と三角波との比較結果により前記スイッチ手段のスイッチング動作を制御する比較手段と、前記スイッチ手段から所定電圧よりも高い電圧が入力されるとオンとなり前記デッドタイムコントロール手段に前記高い電圧を出力する高出力電圧検出手段を備え、前記高出力電圧検出手段に所定電圧よりも高い電圧が入力された時、前記比較手段は前記スイッチ手段の動作を停止させるものである。
【００１９】
この構成によって、高い電圧が発生した場合に高出力電圧検出回路でデッドタイムコントロール回路にＨ電圧を伝え強制的に比較回路の出力をＨとしＰＷＭコントロールを停止しスイッチングトランジスタの動作を停止させ、確実かつ正確に安価で電源回路を保護できる安定化電源装置が得られる。
【００２０】
【発明の実施の形態】
本発明の請求項１に記載の発明は、入力端子に入力される入力電圧を安定化させて出力端子から出力する安定化電源装置であって、入力電圧をスイッチングして出力するスイッチ手段と、前記スイッチ手段の出力電圧を平滑する平滑手段と、前記平滑手段で平滑された前記スイッチ手段の出力電圧を基準電圧と比較し差動増幅する増幅手段と、前記増幅手段からの出力に基づきパルス幅制御の動作点を決めるため前記増幅手段の出力の直流電位を決定するデッドタイムコントロール手段と、前記デッドタイムコントロール手段からの直流電位と三角波との比較結果により前記スイッチ手段のスイッチング動作を制御する比較手段と、前記スイッチ手段から所定電圧よりも高い電圧が入力されるとオンとなり前記デッドタイムコントロール手段に前記高い電圧を出力する高出力電圧検出手段を備え、前記高出力電圧検出手段に所定電圧よりも高い電圧が入力された時、前記比較手段は前記スイッチ手段の動作を停止させるものである。
【００２１】
これにより、高い電圧が発生した場合に高出力電圧検出回路でデッドタイムコントロール回路にＨ信号を伝え強制的に比較回路の出力をＨとしＰＷＭコントロールを停止しスイッチングトランジスタの動作を停止させ、確実かつ正確に安価で電源回路を保護できる安定化電源装置が得られる。
【００２２】
本発明の請求項２に記載の発明は、高出力電圧検出手段は、ダイオードで構成されたものである。これにより、小型・軽量かつ低コストで高性能な安定化電源装置が得られるという作用を有する。
【００２３】
以下、本発明の実施の形態について、図面を用いて説明する。
【００２４】
（実施の形態１）
図１は本発明の実施の形態の安定化電源装置の構成を示すブロック図であり、図１において、１００ａは電池や交流電源などから電源が入力される入力端子、１００ｂは出力端子、１０１は過電流を検知して自ら電気的に切断することで回路を保護するヒューズ、１０２はオン／オフすることで安定した電圧を得ることができるスイッチ手段であるスイッチングトランジスタ、１０３はコイル、１０４はダイオード、１０５は平滑用のフィルター回路を構成するコンデンサで、１０６ａは入力フィルター回路を構成するコイル、１０６ｂはフィルター回路を構成するコンデンサ、１０７ａは出力フィルター回路を構成するコイル、１０７ｂはフィルター回路を構成するコンデンサで、タンタルコンデンサなどからなる。１０８は電源制御手段である電源制御回路、１０９は電源制御回路１０８を構成する出力電圧検出手段である出力電圧検出回路、１１０は電源制御回路１０８を構成し出力電圧検出回路１０９で検出した電圧と基準電圧とで差動増幅を行う増幅手段である増幅回路、１１１は電源制御回路１０８を構成しＰＷＭ制御の動作点を決めるため増幅回路１１０の出力の直流電位（図３のＤ信号）を決定するデッドタイムコントロール手段であるデッドタイムコントロール回路、１１２は電源制御回路１０８を構成しデッドタイムコントロール回路１１１からの直流電位と三角波とを比較しその比較結果に基づきスイッチングトランジスタ１０２のスイッチング動作を制御する比較手段である比較回路、１１３は電源制御回路１０８を構成し出力側のショートによる出力電圧を低下を検出しスイッチングトランジスタ１０２の動作を停止させる保護手段である保護回路、１３０は電源制御回路１０８を構成し出力側に得られた高電圧を検出する高出力電圧検出手段である高出力電圧検出回路である。
【００２５】
図２に電源制御回路の詳細構成の回路図を示す。図２において、１１４ａは出力電圧検出回路１０９を構成する抵抗、１１４ｂは出力電圧検出回路１０９を構成する抵抗、１１５は増幅回路１１０を構成する基準電圧発生回路で、電池や発振回路などからなる。１１６は基準電圧発生回路１１５からの基準電圧と出力電圧検出回路１０９で検出した電圧との差分を増幅して出力する増幅器で、増幅回路１１０を構成している。１１７ａはデッドタイムコントロール回路１１１を構成する抵抗、１１７ｂはデッドタイムコントロール回路１１１を構成するコンデンサ、１１７ｃはデッドタイムコントロール回路１１１を構成する抵抗、１１８は比較回路１１２を構成し三角波を発生する三角波発生回路、１１９ａは比較回路１１２を構成し三角波発生回路１１８からの三角波とデッドタイムコントロール回路１１１からの信号とを比較する比較器、１１９ｂは比較回路１１２を構成するプルアップ抵抗である。１２０ａは保護回路１１３を構成し基準電圧発生回路１２１からの基準電圧と出力電圧検出回路１０９からの電圧とを比較する比較器、１２０ｂは保護回路１１３を構成するプルアップ抵抗、１２１は保護回路１１３を構成する基準電圧発生回路である。
【００２６】
また、１３０は出力電圧検出回路１０９で検出した電圧が高電圧になったことを検出する高出力電圧検出回路で、「高出力電圧」とは本実施の形態では三角波の電圧よりも大きい値をさし、例えば三角波が１Ｖの場合、１Ｖよりも高い値を検出する。また検出する電圧値の上限は、入力端子１００ａに接続された電源の種類により異なるが、例えばビデオカメラのバッテリが接続されている場合は、最大値が約６．５Ｖであるため、１Ｖから６．５Ｖの範囲の電圧を、高出力電圧として検出する。なお、上記電圧値は一例であり、他の値であっても構わない。１３１ａ及び１３１ｂは高電圧検出回路１３０を構成するダイオードである。
【００２７】
図３はデッドタイムコントロール制御回路と高電圧検出回路の動作波形図、動作説明図である。同図（ａ）は電源スイッチの動作で、例えばビデオカメラの場合、ビデオカメラ本体に設けられた電源ボタンの動作に相当する。同図（ｂ）はデッドタイムコントロール回路１１１で発生する信号と三角波との関係、同図（ｃ）は通常動作時の比較回路１１２の出力信号、同図（ｄ）は高出力電圧検出回路１３０で高電圧を検出した時にデッドタイムコントロール回路１１１で発生する信号と三角波との関係、同図（ｅ）は同図（ｄ）の時の比較回路１１２の出力信号である。
【００２８】
以上のように構成された本実施の形態の安定化電源装置について、図面を用いてその動作を説明する。
【００２９】
まず、安定した電圧を得るための基本動作について説明する。
【００３０】
入力端子１００ａより電池（図示せず）等の非安定化電圧が入力され、電源投入（図３（ａ）のＨになるタイミング）されると、増幅回路１１０、デッドタイムコントロール回路１１１、比較回路１１２、基準電圧発生回路１１５、三角波発生回路１１８が起動する。
【００３１】
電源投入直後、出力は０Ｖである。出力電圧検出回路１０９により出力電圧の状態を０Ｖと検出し、増幅器１１６において基準電圧発生回路１１５の基準電圧との誤差増幅をする。このとき、増幅器１１６の出力はローレベル（以下、Ｌと略す）である。しかし、電源投入で電源印加された基準電圧発生回路１１５が基準電圧を発生し、その基準電圧と出力電圧検出回路１０９からの電圧とを誤差増幅した電圧が増幅回路１１０から出力される。増幅回路１１０から出力された電圧はデッドタイムコントロール回路１１１に入力され、図３（ｂ）のＤ信号に示すようなデッドタイムコントロール信号（以下、Ｄ信号と記す）を出力する。
【００３２】
デッドタイムコントロール回路１１１から出力されたＤ信号は比較回路１１２に入力され、比較回路１１２内で三角波発生回路１１８の出力信号（図３（ｂ）のＴ信号）と比較される。比較回路１１２では、Ｄ信号とＴ信号とを比較し、Ｄ信号がＴ信号よりも高い時はＨレベル、低い時はＬレベルの信号、すなわち、図３（ｃ）に図示したように、Ｈ／Ｌレベルを交互に繰り返す波形が比較回路１１２より出力される。
【００３３】
図３（ｃ）に示すような比較回路１１２の出力信号がスイッチングトランジスタ１０２に入力され、スイッチングトランジスタ１０２はＮＰＮ型であるため、比較回路１１２からの信号がＬレベルの時にオンになり、Ｈレベルの時にオフになるよう動作する。つまり、図３（ｃ）に示すようにＨ／Ｌレベルを交互に繰り返すような信号では、オン／オフを交互に切り換えるよう動作し、コイル１０３の２次側から安定した出力パルスを得ることになる。
【００３４】
なお、ダイオード１０４はスイッチングトランジスタ１０２がオフの時、コイル１０３に蓄えられたエネルギーを放出される時の電流ループを形成するように作用し、コンデンサ１０５は出力パルスを平滑するよう作用する。また、出力パルスはコイル１０７ａ、コンデンサ１０７ｂで構成される出力フィルターでさらに出力電圧を平滑され、出力端子１００ｂに出力電圧として伝えられる。
【００３５】
次に発生した出力電圧は、出力電圧検出回路１０９に再び送られ、出力電圧検出回路１０９はハイレベル（以下、Ｈと略す）を検出し、増幅回路１１０で誤差増幅、比較回路１１２で比較の処理を行い、図３（ｃ）がＬレベルの時にスイッチングトランジスタ１０２をオンにし、Ｈレベルの時にオフにするよう制御（ＰＷＭ制御）をし、スイッチングトランジスタ１０２を所定周期でオン／オフさせることにより、一定の出力電圧を得ることになる。
【００３６】
次に、保護回路１１３の動作について説明する。
【００３７】
出力電圧検出回路１０９で検出された電圧は、保護回路１１３にも送られている。保護回路１１３では、コンデンサ１０７ｂが結露や埃などによりショートした時に低下する出力電圧を検出し、スイッチングトランジスタ１０２を停止させるものである。つまり、コンデンサ１０７ｂのショート時に出力電圧検出回路１０９で検出した電圧値と、基準電圧発生回路１２１で発生する基準電圧とを比較器１２０ａで比較し、出力電圧検出回路１０９からの電圧値が基準電圧よりも低くなると、本回路の出力電圧がショートしたと判断し、スイッチングトランジスタ１０２をオフさせるよう制御するものである。
【００３８】
次に、出力端子１００ｂや電源制御回路１０８に、本装置の入出力間においてショートが発生し高電圧が印加された時の動作について説明する。
【００３９】
コイル１０３が、経年変化や部品不良などによる被覆剥離などが生じた場合、コイル１０３の入出力がショートしてしまい、平滑動作を行うことができなくなり、出力端子１００ｂには入力電圧が平滑されずにそのまま伝達されることになる。この入力電圧は出力電圧検出回路１０９に入力され、電圧値が所定値を超える場合は高出力電圧検出回路１３０がオンになり増幅回路１１０がカットオフとなる。また、電圧値が所定値以下の場合は、高出力電圧検出回路１３０がカットオフとなり、増幅回路１１０がオンとなる。
【００４０】
高出力電圧検出回路１３０では、出力電圧検出回路１０９からの電圧値が所定値（本実施の形態では１Ｖ）よりも高くなった場合に電圧が流れるようなダイナミックレンジを有しており、入力電圧がこのダイナミックレンジ内であれば高出力電圧検出回路１３０がオンとなる。本実施の形態では、高出力電圧検出回路１３０はダイオード１３１ａと１３１ｂのように２個のダイオードで構成したが、所定電圧値よりも高い電圧を検出できる構成であれば、他の構成でもよい。
【００４１】
また、増幅回路１１０は、高出力電圧検出回路１３０よりも低いダイナミックレンジを有しており、入力電圧がこのダイナミックレンジ内であれば増幅回路１１０がオンになるように動作する。なお増幅回路１１０のダイナミックレンジは、本装置が正常動作する範囲に設定されている。このように、高出力電圧検出回路１３０と増幅回路１１０とが、それぞれ異なるダイナミックレンジを有することにより、入力電圧の電圧値に応じて、いずれか一方がオンになり他方がオフになるように動作する。
【００４２】
このようにして高出力電圧検出回路１３０で検出した高電圧は、デッドタイムコントロール回路１１１に入力される。
【００４３】
デッドタイムコントロール回路１１１では、高出力電圧検出回路１３０からの高電圧に基づき、図３（ｄ）のＤ信号に示すように、三角波であるＴ信号の最大値よりも高い信号（Ｈレベル信号）を比較回路１１２に出力する。比較回路１１２では、デッドタイムコントロール回路１１１からのＨレベル信号（図３（ｄ）のＤ信号）と三角波発生回路１１８から出力される三角波（図３（ｄ）のＴ信号）とを比較し、Ｈ／Ｌを交互に切り換える信号ではなく、図３（ｅ）に示すような連続したＨレベルの信号を出力する。このようなＨレベルの信号がスイッチングトランジスタ１０２に入力されると、スイッチングトランジスタ１０２は連続したオフ状態となる。よって、強制的にスイッチングトランジスタ２は比較回路１１２からのＨレベルの信号によりオフされることとなり、スイッチング動作が停止させ、入力端子１００ａから入力される入力電圧がトランジスタ１０２よりも出力側へ流れるのを停止させることができる。
【００４４】
一方、通常時（出力端子１００ｂに正常値の電圧が出力されている時）は、入力端子１００ａから入力される入力電圧が、出力端子１００ｂとともに出力電圧検出回路１０９にも入力される、出力電圧検出回路１０９に入力された電圧は高出力電圧検出回路１３０と増幅回路１１０とに入力されるが、入力電圧が正常値（つまり増幅回路１１０のダイナミックレンジ内の電圧値）であるため、高出力電圧検出回路１３０はカットオフとなり、増幅回路１１０はオンとなる。すると前述のように通常のＰＷＭ動作を継続し、安定した出力電圧を供給することができるのである。
【００４５】
以上のように本実施の形態によれば、コイル１０３のショートにより高い電圧が発生した場合に、高出力電圧検出回路１３０で高電圧を検出し、その高電圧をデッドタイムコントロール回路１１１に出力することで、デッドタイムコントロール回路１１１は強制的に比較回路１１２の出力をＨとしＰＷＭコントロールを停止させ、スイッチングトランジスタの動作を停止させるようにしたことにより、確実かつ正確に電源回路を保護できる安定化電源装置が得られるのである。
【００４６】
また、一般的な電圧検出回路は基準電圧発生回路と比較器とで構成されるが、本実施の形態の高出力電圧検出回路１３０は２個のダイオードのみで構成できるため、非常に安価で小型に実現できるものである。
【００４７】
なお、実施の形態においてスイッチ素子としてトランジスタとコイルの例をあげたが、必ずしもこれに限るものでもない。さらに、入力端子と出力端子との間にトランスで構成される電源回路を構成してもかまわない。
【００４８】
【発明の効果】
以上のように本発明は、回路部品の不良等によって万一高い電圧が発生した場合にも、確実かつ正確に安価で電源回路を保護できるという優れた効果を奏するものである。
【図面の簡単な説明】
【図１】本発明の安定化電源装置の実施の形態１におけるブロック図
【図２】同、電源制御回路の詳細回路図
【図３】同、デッドタイムコントロール回路と高出力電圧検出回路の動作波形図
【図４】従来の安定化電源装置におけるブロック図
【図５】同、電源制御回路の詳細回路図
【図６】同、デッドタイムコントロール回路の動作波形図
【符号の説明】
１０２　スイッチングトランジスタ
１０３　コイル
１０８　電源制御回路
１０９　出力電圧検出回路
１１０　増幅回路
１１１　デッドタイムコントロール回路
１１２　比較回路
１１３　保護回路
１３０　高電圧検出回路
【図１】
2004120934.tif 000003
【図２】
2004120934.tif 000004
【図３】
2004120934.tif 000005
【図４】
2004120934.tif 000006
【図５】
2004120934.tif 000007
【図６】
2004120934.tif 000008